(57)【要約】      （修正有）【課題】踵部分の潰れた靴用の靴べらと通常使用する靴用の靴べらの両方を兼ねる靴べらを提供する。【解決手段】へら部先端部分１ａに逆Ｌ字状に折り曲げられたフック部１ｂが形成され、靴の潰れた踵部分を引き出して履く事が可能な形状と、他端に足の踵の形状に沿った湾曲部が形成されたへら部２ａ有し、柄部５は持ち手部を形成し、左右のへら部の先端付近の中央部に壁等のフックに吊下げを可能とした開口が形成されている形状の兼用型靴べら。【選択図】図３
2017023669.tif 000002
【特許請求の範囲】
【請求項１】
足の踵の形状に沿った湾曲部が形成された第１へら部を有する第１へら本体部と該第１へら本体部に一端が連結された柄部材とからなる靴べらであって、該柄部材の他端に、足の踵の形状に沿った湾曲部が形成された第２へら部を有する第２へら本体部が設けられており、該第２へら本体部の第２へら部先端部は逆Ｌ字状に折り曲げられたフック部が形成されている靴べら。
【請求項２】
前記第１へら本体部と第２へら本体部と柄部材とは、樹脂材によって一体成形されていることを特徴とする請求項１記載の靴べら。
【請求項３】
前記柄部材は棒状に形成されており、該柄部材の両端に第１へら本体部に形成された第１挿入穴、および第２へら本体部に形成された第２挿入穴が差し込まれて固定されていることを特徴とする請求項１記載の靴べら。
【請求項４】
前記第１へら本体部の第１へら部と、前記第２へら本体部の第２へら部との少なくともいずれか一方に開口が形成されていることを特徴とする請求項１から３のいずれも１項記載の靴べら。
【発明の詳細な説明】
【技術分野】
【０００１】この発明は靴の脱ぎ履きがスムーズに行える靴べらに関し、特に、下肢の機能低下した老人や身体に障害を持つ人に好適な靴べらに関するものである。
【背景事技術】
【０００２】従来、靴を履く動作を補助する道具として、玄関に置いて使用される長尺の靴べらは、靴等の踵部分潰れている状態において使用することが困難である。
【０００３】長尺の靴べらを用いて靴を履く場合、この踵部分が潰れている場合においては、どうしても下肢を大きく屈曲させた不自然な体勢が強いられる。
【０００４】健常者であれば、片足で体を支えながら上記動作を行うことにより靴を履くことができるが、下半身に麻痺等の障害を持つ人にとってはそのような動作を行うことは困難な状況が多い。
【発明の概要】
【発明が解決しようとする課題】
【０００５】前記したように靴等に用いる靴べらでは、踵部分の潰れた靴を履く際に、潰れた踵部分を引き起こしてからでないと靴べらが使用できなかった。このため、本発明では、潰れた踵部分の引き起こしが可能な靴べらと、踵部分が潰れていない靴に使用する靴べらとの両方をそれぞれ用意する必要がありこれら複数の靴べらを玄関等に置くこととなって使い分けが繁雑となる恐れがあった。
【課題を解決するための手段】
【０００６】上記の問題を解決するために、足の踵の形状に沿った湾曲部が形成された第１へら本体部と該第２へら本体部に連結された柄部材とからなる靴べらであって、該柄部材の他端に、足の踵の形状に沿った湾曲部が形成された第２へら部を有する第２へら本体部が設けられており、該第２へら本体部の第２へら部先端部は逆Ｌ字状に折り曲げられた形状であることを特徴とする。【０００７】また、本発明においては、前記第１へら本体部と第２へら本体部と柄部材とは、樹脂材等によって一体成形されていることを特徴とする。【０００８】また本発明においては、前記柄部材は、棒状に形成されており該柄部材の両端に第１へら本体部に形成された第１挿入穴、および第２へら本体部に形成された第２挿入穴が差し込まれて固定されていることを特徴とする。【０００９】また、本発明においては、前記第１へら本体部の第１へら部と、前記第２へら本体部の第２へら部との少なくともいずれか一方に開口が形成されていることを特徴とする。
【発明の効果】本発明の靴べらは、健常者であっても、また、体に障害を持つ人であっても靴を履くことが、腰をかがめたり座ったりせずに確実且つスムーズに行えるという長所を有しながら、合わせてその反対側に設けられたへら部により通常靴も使用可能な特徴を持つものである。【００１０】また、本発明においては、前記第１へら本体部の第１へら部と、前記第２へら本体部の第２へら部との少なくともいずれか一方に開口が形成されていることを特徴とする。
【図面の簡単な説明】
【００１１】
【図１】靴へらの平面図
【図２】靴べらの側面図。
【図３】靴べらの斜視図。
【図４】へら部と持ち手部を柄部に固定した平面図。
【図５】へら部と持ち手部を柄部に固定した側面図。
【図６】へら部と持ち手部を柄部に固定する前の斜視図。
【図７】へら部と持ち手部を柄部に固定した斜視図。
【図８】踵部の折れ曲がった靴の靴べらの使用説明図
【符号の説明】  １  第１へら本体部
２  第２へら本体部
３  滑り止め部
４ａ  第１開口
４ｂ  第２開口
５  柄部分
６  柄部分
１０  開口
【発明を実施するための形態】
【００１２】以下本発明の第１実施例を図１から図３に基づいて説明する。潰れた踵部分を引き上げるための第１へら本体部１と、踵部分が潰れていない靴に使用する第へら本体部２と、これら第１へら本体部１および第２へら本体部２とを連結する柄部分５とから靴べらが構成されている。
【００１３】前記したように構成された靴べらにおいては、第１へら本体部１の先端部分は、踵の形状に沿った湾曲面１ａと反対方向に向けて折れ曲がったフック部１ｂが形成されている。さらに前記した湾曲面１ａで、かつ、先端に近い部分には、長円形状の第１開口４ａが形成されている。この第１開口４ａは壁などに設けられたフック等の係止部材（図示せず）に引っかけて保持されるようになっている。
【００１４】一方、第２へら本体部２は、踵部分の形状に沿った湾曲面２ａを備え、さらに該湾曲面２ａで、かつ、先端に近い部分には長円形状の第２開口４ｂが形成されている。この第２開口４ｂも前記と同様に壁などに設けられたフック等の係止部（図示せず）して引っ掛けて保持されるようになっている。
【００１５】なお、第１へら本体部１と柄部分５との間、および第２へら本体部２と柄部分５との間には、波状に形成された滑り止め部３が設けられている。そして、これら第１へら本体部１と第２へら本体部２と柄部分５とは、樹脂部材で一体成形されている。
【００１６】次に本発明の第２実施例について図４から図７に基づいて説明する。なお、第１実施例と同一部材については、同じ符号を付して説明する。第１へら本体部１は第１実施例と同様に湾曲面１ａ、フック部１ｂ、滑り止め部３をそれぞれ備えている。
【００１７】また、第２へら本体部にも、湾曲面２ａ、滑り止め部３をそれぞれ備えている。そして、第１へら本体部１、および第２へら本体部２の滑り止め部３が設けられている部分には、丸い形状の第１挿入穴１０ａと第２挿入穴１０ｂとがそれぞれ形成されている。この丸穴１０ａ，１０ｂにはアルミ材等の軽金属で構成された丸棒状の柄部材６が差し込まれて接着等で固着されている。
【００１８】次に、潰れた踵部分を第１へら本体部１で引き上げる状態を図８に基づいて説明する。まず、図８（ａ）に示すように踵の後ろ側に沿って第１へら本体部１を靴底１１まで差し込む。次に、図８（ｂ）に示すように踵を靴底１１までおろす。そして、図８（ｃ）に示すように第１へら本体部１を引き上げる。その際に第１へら本体部１のフック部１ｂが潰れた踵の縁を一緒に引き上げるようになる。この結果、図８（ｄ）示すように潰れた踵部分は引き上げられて踵の後側に沿った正常な状態となる。
【００１９】なお、本発明では、第１へら本体部１、および第２へら本体部２の両方に第１開口、および第２開口を形成して説明したが、第１へら本体部と第２へら本体部２のどちらか一方のみに形成する構成をしても良いものである。
【図１】
2017023669.tif 000003
【図２】
2017023669.tif 000004
【図３】
2017023669.tif 000005
【図４】
2017023669.tif 000006
【図５】
2017023669.tif 000007
【図６】
2017023669.tif 000008
【図７】
2017023669.tif 000009
【図８】
2017023669.tif 000010